(57)【要約】【課題】壁面に棚を着脱自在に取り付けることができ、かつ、壁面に固定済みの固着具を取り外すことなく、棚の水平の精度を高められる壁面取付用連結具を提供する。【解決手段】  壁面取付用連結具１は、（Ａ）頭部５及びネジ部７を有する第一のネジ部材２と、（Ｂ）第一のネジ部材２の頭部５を壁面側に向けた状態でネジ部７を挿通して、第一のネジ部材２の位置を壁面に沿って所定の範囲内で調整することのできる長孔１０を有し、かつ、長孔１０を含む所定の部分が、第一のネジ部材２の頭部５を収容し得る凹部１１として形成されている、壁面に固定するための固定用部材３と、（Ｃ）固定用部材３に対して物品側に配設されるネジ部材であって、固定用部材３の長孔１０から突出する第一のネジ部材２のネジ部７と螺合するためのネジ部１６を有し、かつ、固定用部材３に当接して第一のネジ部材２と共に固定用部材３に締着し得る第二のネジ部材４とからなる。【選択図】図１
2005334020.tif 000002
【特許請求の範囲】
【請求項１】
壁面に所定の物品を取り付けるために、上記壁面からの突起部分を形成するための壁面取付用連結具であって、
（Ａ）頭部及びネジ部を有する第一のネジ部材と、
（Ｂ）上記第一のネジ部材の頭部を壁面側に向けた状態で上記ネジ部を挿通して、上記第一のネジ部材の位置を上記壁面に沿って所定の範囲内で調整することのできる長孔を有し、かつ、該長孔を含む所定の部分が、上記第一のネジ部材の頭部を収容することのできる凹部として形成されている、上記壁面に固定するための固定用部材と、
（Ｃ）上記固定用部材に対して物品側に配設される第二のネジ部材であって、上記固定用部材の長孔から突出する上記第一のネジ部材のネジ部と螺合するためのネジ部を有し、かつ、上記固定用部材に当接して上記第一のネジ部材と共に上記固定用部材に締着することのできるように構成された第二のネジ部材と、
を含むことを特徴とする壁面取付用連結具。
【請求項２】
上記第二のネジ部材が、上記壁面からの上記突起部分を形成している請求項１に記載の壁面取付用連結具。
【請求項３】
上記第一のネジ部材が、上記固定用部材の長孔または凹部に対して、回転不能に嵌合され得る回転阻止部を有する請求項１又は２に記載の壁面取付用連結具。
【請求項４】
請求項１〜３のいずれか１項に記載の壁面取付用連結具と、該壁面取付用連結具によって支持するための支持部及び上記物品に取り付けるための取付部を有する物品取付用連結具とを含むことを特徴とする連結構造。
【請求項５】
上記壁面取付用連結具の上記第一のネジ部材と上記第二のネジ部材のいずれか一方が、杆体と、該杆体の物品側の端部に形成されかつ該杆体よりも大径である頭部とからなる係止部を有し、
上記物品取付用連結具が、上記壁面取付用連結具の係止部の頭部を挿入し得るように形成された第一の開口部と、上記壁面取付用連結具の係止部の頭部の径より小さくかつ上記壁面取付用連結具の係止部の杆体の径より大きな幅を有する溝状の第二の開口部とが連なってなる孔を有し、かつ、上記第一の開口部の中に上記壁面取付用連結具の係止部の頭部を挿入した後に、当該壁面取付用連結具の係止部の頭部を上記第二の開口部の端部まで摺動し得るように、上記第二の開口部の縁辺に、上記壁面取付用連結具の係止部の頭部の形状に合致した溝部を有する請求項４に記載の連結構造。
【発明の詳細な説明】
【技術分野】
【０００１】
本発明は、棚、タオル掛け等の物品を壁面に取り付けるために、当該物品と壁面の間に介在させて用いられる壁面取付用連結具に関する。
【背景技術】
【０００２】
壁面に棚を着脱自在に取り付ける方法として、壁面に固定するための所定の連結具と、該連結具に係止可能な構造を備えた棚を併用することが知られている。
一例として、クロゼット用棚Ｙの一方の側面に、所定の構造を有する可調整連結具１を固着し、クロゼット用棚Ｙの他方の側面に、所定の構造を有する密着連結具５を固着してなるクロゼット用棚連結具が知られている（特許文献１）。
この棚連結具において、可調整連結具１は、幅狭開口部２４、広口開口部２５等を有する、クロゼット用棚Ｙに固定される雌部材２と、頭３４、軸３２、雄ねじ３１等を有する雄部材３と、雄ねじ３１と螺合可能な雌ねじ４３等を有する、壁面Ｘに螺入して固定される基部材（鬼目ナット）４とから構成されている。雄部材３は、雌部材２の広口開口部２５に挿入された後、幅狭開口部２４の上端まで移動することによって、雌部材２に対して着脱自在に取り付けられる。壁面Ｘに対するクロゼット用棚Ｙの位置の調整は、雄部材３の頭３４の位置を調整することによって行われる。
この棚連結具によれば、簡易な構成の可調整連結具１及び密着連結具５により、建屋や箪笥の大きさに合わせて調整が可能であり、多種類の棚連結具の在庫を不要とするなどの利点がある。
【０００３】
他の例として、固定片２の両側端に係止片３を連設して取付け金具１を形成し、固定片２の背面２ａを係止部３よりも背方に突出させ、棚４の背面部４ａに下方に開口する取付け溝部５を設け、取付け溝部５の背壁部５ａの略中央部に下端部から上方に向けて切欠部６を形成し、取付け金具１の固定片２の背面２ａを壁のような取付け面に当接して固着し、棚４の取付け溝部５の両側端に係止片３を挿入係止し、固定片２を切欠部６に位置させてなる棚の取付構造が知られている。
この取付構造によれば、棚の形状の自由度の幅が広がる他、施工作業が容易になるなどの利点がある。
【特許文献１】登録実用新案公報第３０６１３５４号
【特許文献２】特開２００１−１７８５７２号公報
【発明の開示】
【発明が解決しようとする課題】
【０００４】
上述の文献に記載されている棚の取付構造はいずれも、壁面と棚の載置面の距離を調整したり、あるいは棚の形状の自由度の幅を広げること等を目的とするものであり、壁面に取り付けた棚の水平の精度を高めるものではない。
すなわち、上述の文献の技術においては、壁面に固定される部材（具体的には、鬼目ナット４や取付け金具１）を取り付けた後に、この部材に連結される棚の水平の精度が劣ることに気付いたとしても、棚の水平の精度を高めるためには、壁面に固定されている部材（鬼目ナット４、取付け金具１）を一旦取り外して、再び取り付けなければならず、手間や時間がかかるうえに、当初の取付け位置が釘、ビス等の固着具の抜け跡として残り、外観を劣化させるという問題がある。
そこで、本発明は、棚等の物品と壁面の間に介在させて用いられる壁面取付用連結具であって、棚等の物品を壁面に対して着脱自在に取り付けることができ、かつ、壁面に貫入させた釘、ビス等の固着手段を取り外すことなく、棚等の物品の水平の精度を高めることのできるような壁面取付用連結具を提供することを目的とする。
【課題を解決するための手段】
【０００５】
本発明者は、上記課題を解決するために鋭意検討した結果、壁面に固定するための特定の構造を有する固定用部材と、該固定用部材に対して所定の範囲内で摺動可能な特定の構造を有する一対のネジ部材を組み合わせてなる壁面取付用連結具を用いれば、上記課題を達成し得ることに想到し、本発明を完成した。
本発明は、以下の［１］〜［３］の壁面取付用連結具、及び［４］〜［５］の連結構造を提供するものである。
［１］（Ａ）壁面に所定の物品（例えば、棚）を取り付けるために、上記壁面からの突起部分（例えば、棚に装着されている金具に穿設された孔に係止可能な、頭部を有する杆体）を形成するための壁面取付用連結具であって、頭部及びネジ部を有する第一のネジ部材（例えば、雄ネジ部材）と、（Ｂ）上記第一のネジ部材の頭部を壁面側に向けた状態で上記ネジ部を挿通して、上記第一のネジ部材の位置を上記壁面に沿って所定の範囲内で調整することのできる長孔を有し、かつ、該長孔を含む所定の部分が、上記第一のネジ部材の頭部を収容することのできる凹部として形成されている、上記壁面に固定するための固定用部材（例えば、長孔を含む中央部分が、物品側から見て膨出部として形成されており、かつ、周縁部分が、固着具挿通孔を有する平板部として形成されている板状体）と、（Ｃ）上記固定用部材に対して物品側に配設される第二のネジ部材であって、上記固定用部材の長孔から突出する上記第一のネジ部材のネジ部と螺合するためのネジ部を有し、かつ、上記固定用部材に当接して上記第一のネジ部材と共に上記固定用部材に締着することのできる第二のネジ部材（例えば、雌ネジ部が穿設されている杆体と頭部とを有する雌ネジ部材）とを含むことを特徴とする壁面取付用連結具。
［２］上記第二のネジ部材が、上記壁面からの上記突起部分を形成している上記［１］の壁面取付用連結具
［３］上記第一のネジ部材が、上記固定用部材の長孔または凹部に対して、回転不能に嵌合され得る回転阻止部（例えば、雄ネジ部の根元に形成させた板状体であって、固定用部材の長孔の幅より若干小さな幅を有する矩形の板状体）を有する上記［１］又は［２］の壁面取付用連結具。
［４］上記［１］〜［３］のいずれかの壁面取付用連結具と、該壁面取付用連結具によって支持するための支持部（例えば、壁面取付用連結具の第二のネジ部材の頭部を係止し得る孔）及び上記物品に取り付けるための取付部（例えば、固着具挿通孔を有する平板状の部分）を有する物品取付用連結具とを含むことを特徴とする連結構造。
［５］上記壁面取付用連結具の上記第一のネジ部材と上記第二のネジ部材のいずれか一方が、杆体と、該杆体の物品側の端部に形成されかつ該杆体よりも大径である頭部とからなる係止部を有し、上記物品取付用連結具が、上記壁面取付用連結具の係止部の頭部を挿入し得るように形成された第一の開口部と、上記壁面取付用連結具の係止部の頭部の径より小さくかつ上記壁面取付用連結具の係止部の杆体の径より大きな幅を有する溝状の第二の開口部とが連なってなる孔を有し、かつ、上記第一の開口部の中に上記壁面取付用連結具の係止部の頭部を挿入した後に、当該壁面取付用連結具の係止部の頭部を上記第二の開口部の端部まで摺動し得るように、上記第二の開口部の縁辺に、上記壁面取付用連結具の係止部の頭部の形状に合致した溝部を有する上記［４］の連結構造。
【発明の効果】
【０００６】
本発明の壁面取付用連結具によれば、棚等の物品を壁面に対して着脱自在に取り付けることができるとともに、壁面に貫入させた釘、ビス等の固着手段を取り外すことなく、棚等の物品の水平の精度を高めることができる。
【発明を実施するための最良の形態】
【０００７】
以下、図面を参照しつつ本発明の壁面取付用連結具の実施形態の例を説明する。
図１は、本発明の壁面取付用連結具の一例の構成部品を分解して示す斜視図、図２は、図１に示す壁面取付用連結具の構成部品を組み合わせた状態を示す斜視図、図３は、図２中のＡ−Ａ線で鉛直方向に切断した状態を示す断面図、図４は、図２中のＢ−Ｂ線で水平方向に切断した状態を示す断面図、図５は、第一のネジ部材及び固定用部材の他の例を示す斜視図、図６は、本発明の壁面取付用連結具と組み合わせて用いられる棚の一例を示す斜視図、図７は、図６に示す棚に装着されている物品取付用連結具に、図１に示す壁面取付用連結具を係止する手順を説明するための図、図８は、図７中のＣ−Ｃ線で鉛直に切断した状態を示す断面図、図９は、壁面取付用連結具を介して壁面に棚を取り付ける手順を説明するための図、図１０は、本発明の適用対象物品である棚の種々の例を示す斜視図、図１１は、本発明で用いられる第二のネジ部材、物品取付用連結具及び物品の他の例を示す斜視図、図１２は、本発明で用いられる第一のネジ部材及び第二のネジ部材の他の例を示す斜視図である。
【０００８】
本発明の壁面取付用連結具１は、図１〜図４に示すように、第一のネジ部材２と固定用部材３と第二のネジ部材４とから構成されている。
第一のネジ部材１は、頭部５と回転阻止部６とネジ部７とが一体的に形成されてなるネジ部材である。
ここで、頭部５は、固定用部材３の長孔１０を通過することのできない大きさの径を有する薄肉の円盤状の板状体である。
回転阻止部６は、固定用部材３の長孔１０に嵌合することができ、かつ、長孔１０に嵌合した状態において当該第一のネジ部材１の軸線を軸として回転することのできない形状に形成される部分であり、具体的には、頭部５とネジ部７の間に介在する略正方形の板状体である。回転阻止部６の外表面（略正方形の面）の対角線の長さは、頭部５の径よりも小さく、かつネジ部７の径よりも大きくなるように定められている。
なお、回転阻止部６は、固定用部材３の長孔１０に対して回転不能に嵌合され得るものであればよく、略六角形の板状体、略長方形の板状体等であってもよい。
ネジ部７は、固定用部材３の長孔１０に挿通することのできる大きさの径を有する円柱体の周面に、雄ネジが螺刻されている雄ネジ部である。
【０００９】
固定用部材３は、略長方形の平坦な板状体の縁辺部分のみを残して内方を略長方形に切り取ったかの如き形状を有する平板部８と、平板部８の内方の略長方形の縁辺から内方に向かって、平板部８から所定の高さを有するように立ち上がって形成された凹部形成用板部９と、凹部形成用板部９の内方に形成された帯状の長孔１０とを有するものとして形成されている。
ここで、平板部８は、その四隅の各々に固着具挿通孔１２を有する。これらの固着具挿通孔１２を通じて、第二のネジ部材４の側から第一のネジ部材２の側（壁面の側）に向かって釘等の固着具（図示せず）を挿通することによって、固定用部材１３の背面に当接する壁面（図９参照）に固定用部材３を固定することができる。
凹部形成用板部９は、その上部及び下部の各々に固着具挿通孔１３を有する。上述の固着具挿通孔１２に加えて固着具挿通孔１３を用いて、釘等の固着具を挿通すれば、壁面に固定用部材３をより堅固に固定することができる。なお、固着具挿通孔１３に挿通される釘等の固着具は、壁面に対して斜めに貫入されることになる。
【００１０】
凹部形成用板部９の長孔１０の幅（短手方向の寸法）は、上述のように、第一のネジ部材２に対して、頭部５を通過させず、回転阻止部６を回転不能に嵌合させ、ネジ部７を自由に通過させ得るように定められる。また、長孔１０の長さ（長手方向の寸法）は、当該長孔１０に沿って第一のネジ部材２を摺動させて、本発明の目的である棚等の物品の位置の調整を適当な範囲内で行なうことのできる大きさに定められる。
凹部形成用板部９と長孔１０とからなる部分は、第一のネジ部材２の頭部５を、平板部８よりも壁面側に突出させることなく収容することのできる凹部１１を形成している。すなわち、図２〜図４に示すように、第一のネジ部材２及び第二のネジ部材４を固定用部材３に締着した状態において、第一のネジ部材２の頭部５は、固定用部材３の平板部８の背面を内方に延長した面に対して、第二のネジ部材４の側の空間（凹部１１）内に収まるものである。したがって、固定用部材３を取付対象面である壁面（図示せず）に固定した場合、第一のネジ部材２の頭部５は、壁面と固定用部材３の間の凹部１１内に収まることになる。
【００１１】
第二のネジ部材４は、杆体１４と頭部１５とからなる。
杆体１４は、円柱状に形成されており、端面には、第一のネジ部材２のネジ部７と螺合するためのネジ部１６が、軸線方向に所定の深さで穿設されている。
杆体１４の端面は、固定用部材３の長孔１０の幅よりも大きな径を有する。したがって、第一のネジ部材２の回転阻止部６を固定用部材３の長孔１０に嵌合させた後に、第一のネジ部材２のネジ部７に第二のネジ部材４のネジ部１６を螺合して、第二のネジ部材４の頭部１５を所定の方向に回転させると、第二のネジ部材４は、固定用部材３に向かって移動し、最終的に固定用部材３に当接して、第一のネジ部材２と共に固定用部材３に締着される。
頭部１５は、杆体１４の径よりも大きな径を有する円盤状に形成されている。また、頭部１５には、ドライバーの端部を差し込んで回転させるための溝１７が形成されている。
なお、第一のネジ部材２及び第二のネジ部材４を固定用部材３に締着する際に、締着力を強めるために、第二のネジ部材４と固定用部材３の間に座金等を介在させてもよい。
【００１２】
第一のネジ部材及び固定用部材としては、図１に示すものの他、例えば、図５に示す形態を有するものを用いてもよい。図５の（ａ）は、第一のネジ部材２０と固定用部材２３を互いに隔てた状態で示す斜視図であり、図５の（ｂ）は、第一のネジ部材２０と固定用部材２３を組み合わせた状態で示す斜視図である。
図５中、第一のネジ部材２０は、略正方形の板状体である頭部２１と、ネジ部２２とからなる。なお、頭部２１の形状は、固定用部材２３の凹部２５内に回転不能に嵌合して収容され得るものであればよく、具体的には、凹部２５の深さ寸法よりも小さな厚さを有し、かつ、凹部２５内で回転することのできない形状（例えば、凹部２５の幅よりも若干小さな幅を有する略正方形、略長方形、略六角形等）の板状体等であればよい。
一方、固定用部材２３は、図１に示す平板部８と同様の形状に形成された平板部２６（図５では、長手方向の一部のみを示している。以下、同様。）と、平板部２６の内方の略長方形の縁辺から内方に向かって、平板部２６から所定の高さを有するように立ち上がって形成された凹部形成用板部２７と、凹部形成用板部２７の内方に形成された帯状の長孔２４とを有する。
なお、凹部形成用板部２７は、平板部２６の内方の縁辺から垂直に折曲して所定の高さを有するように形成された垂直板部分と、該垂直板部分の端部から内方に向かって垂直に折曲して形成された水平板部分とからなる。この水平板部分の内方側の周縁によって、長孔２４の輪郭が形成されている。
【００１３】
凹部形成用板部２７と長孔２４とからなる部分は、第一のネジ部材２０の頭部２１を、平板部２６よりも壁面側に突出させることなく収容することのできる凹部２５を形成している。すなわち、図５の（ｂ）に示すように、第一のネジ部材２０の頭部２１を凹部２５内に嵌合した状態（図示しない図１と同様の第二のネジ部材４と共に、固定用部材２３に締着した状態）において、第一のネジ部材２０の頭部２１は、固定用部材２３の平板部２６の背面を内方に延長した面に対して、第二のネジ部材の側の空間（凹部２５）内に収まるものである。したがって、固定用部材２３を取付対象面である壁面（図示せず）に固定した場合、第一のネジ部材２０の頭部２１は、壁面と固定用部材２３の間の凹部２５内に収まることになる。
なお、第一のネジ部材２０の頭部２１は、固定用部材２３の長孔２４を通過することができず、かつ、固定用部材２３に対して回転することができないという点で、図１に示す第一のネジ部材２の頭部５及び回転阻止部６の機能を併せ持つものである。
上述の固定用部材３，２３を壁面に固定する方法として、釘等の固着具を用いずに、固定用部材３，２３の背面に強力な粘着層を設けてもよい。
【００１４】
次に、壁面取付用連結具と共に用いられる物品取付用連結具の一例について説明する。以下の例は、図１に示す壁面取付用連結具１と組み合わせて使用する物品取付用連結具の例である。
図６中、壁面に取り付ける対象物品である棚３０は、一対の側壁部３１と、これら側壁部３１間に架設される水平壁部３２とからなる。
棚３０の背面（壁面に当接させる側の面）において、一対の側壁部３１の各々の面には、物品取付用連結具３３が装着されている。
物品取付用連結具３３は、釘、ビス等の固着具３７を挿通するための固着具挿通孔を有する平板部材３４からなるものである。なお、固着具３７と固着具挿通孔の組み合わせに代えて、平板部材３４の背面に強力な粘着層を設けてもよい。
平板部材３４は、図８に示すように、表層板３４ａ、中間層板３４ｂ及び基層板３４ｃの積層体であり、これらの板３４ａ，３４ｂ，３４ｃによって孔３５及び溝部３６が形成されている。なお、中間層板３４ｂの厚さは、第二のネジ部材４の頭部１５の厚さよりも大きくなるように定められている。
【００１５】
孔３５は、壁面取付用連結具１の第二のネジ部４の頭部１５を係止するための孔であり、図７に示すように、第二のネジ部材４の頭部１５を挿入し得るように形成された円形の第一の開口部３５ａと、第二のネジ部材４の頭部１５の径より小さくかつ第二のネジ部材の杆体１４の径より大きな幅を有する直線の溝状の第二の開口部３５ｂとが連なってなる形状を有する。
溝部３６は、第一の開口部３５ａの中に第二のネジ部材４の頭部１５を挿入した後（図７の（ａ））に、その挿入した深さを保ったまま、当該第二のネジ部材４の頭部１５を第二の開口部３５ｂの上端部まで摺動し得るように（図７の（ｂ））、第二の開口部３５ｂの縁辺に形成されている。
なお、溝部３６は、平板部材３４の正面から見えない部分であり、孔３５と区別される。溝部３６は、中間層板３４ｂの孔と表層板３４ａの孔の不一致部分であり、孔３５は、中間層板３４ｂの孔と表層板３４ａの孔の一致部分（重複部分）である。
【００１６】
壁面取付用連結具１の使用方法を説明すると、まず、図９の（ａ）に示すように、壁面５０に対して一対の壁面取付用連結具１を、所定の高さでかつ左右方向に所定の距離（具体的には、棚３０に装着されている一対の物品取付用連結具３３間の距離と等しい距離）を隔てて固定する。
次に、図９の（ｂ）に示すように、一対の壁面取付用連結具１に棚３０を近づける。そして、図７及び図８に示すように、棚３０の背面に装着されている一対の物品取付用連結具３３の各々の孔３５の第一の開口部３５ａの中に、一対の壁面取付用連結具１の各々の第二のネジ部材４の頭部１５を挿入し（図７の（ａ））、その後、第二のネジ部材４の頭部１５の挿入した深さを保ったまま、棚３０を下降させると、第二のネジ部材４の頭部１５が、表層板３４ａと基層板３４ｃの間に挟まれた状態（図８）で、第二の開口部３５ｂに沿って上方に摺動して、第二の開口部３５ｂの上端に達し（図７の（ｂ））、係止される。こうして、壁面５０への棚３０の取り付け作業が完了する。
棚３０を取り付けた後、棚３０の水平の精度が低いことに気付いた場合には、棚３０を取り外して、一対の壁面取付用連結具１のいずれか一方の第二のネジ部材４の頭部１５を所定の方向に回転させて、当該第二のネジ部材４の締着状態を緩め、次いで、当該第二のネジ部材４を鉛直方向に摺動させて、他方の第二のネジ部材４と同じ高さの地点となるように微調整して締着し、その後、一対の第二のネジ部材４を、棚３０に装着された物品取付用連結具３３の孔３５に係止すればよい。
【００１７】
本発明においては、壁面に取り付ける対象物品である棚として、種々の形態を有するものを用いることができる。例えば、図１０に示すように、一段の載置面を有する図６に示す棚３０（図１０の（ａ））の他に、２段の載置面及び天井板を有する棚３８（図１０の（ｂ））や、直交する２面の壁面の交差部分（部屋のコーナー部分）に取り付けるための直交する２つの背面を有する棚３９（図１０の（ｃ））等を対象とすることができる。図１０中、物品取付用連結具３３の位置を点線で示す。
なお、図１０の（ｂ）は、棚３８の背面の上端の中央部及び下端の中央部の各々に、孔３５が左右方向に延びるように物品取付用連結具３３を装着して、棚３８の上端及び下端の各々を水平方向（左右方向）に調整し得るようにした例である。この場合、壁面取付用連結具１は、物品取付用連結具３３に対応して、長孔１０の長手方向が左右方向に延びるように壁面に固定される。また、物品取付用連結具３３の第二の開口部３５ｂの端部にて、第二の開口部３５ｂの幅方向（短手方向）に切欠き及びそれに付随する溝部を形成させて、第二の開口部３５ｂの端部が略Ｔ字形の開口部となるようにすれば、この略Ｔ字形の部分に第二のネジ部材４の頭部１５が入り込み、棚３８が左右方向に移動するのを防止することができる。
【００１８】
本発明において、図１に示す第二のネジ部材４、及び図６に示す物品取付用連結具３３に代えて、他の形態を有する第二のネジ部材及び物品取付用連結具を用いてもよい。
例えば、図１１に示すように、図１に示す第二のネジ部材４のネジ部１６と同様なネジ部（図示せず）を一端に設けた杆体４１の他端に、ネジ部４２（図１１では雄ネジ部として示したが、雌ネジ部でもよい。）を形成させてなる第二のネジ部材４０を用意すると共に、ネジ部４２と螺合するネジ部（図示せず）を一端に有し、かつ壁面への取付け対象物品である棒状体４５（例えば、タオル掛けの横棒）を嵌合させ得る切欠部４４を有する物品取付用連結具４３を用意すれば、着脱自在で、かつ壁面に固定された固着具を取り外さずに水平の精度を適宜調整し得る状態で、棒状体４５を壁面に取り付けることができる。
【００１９】
本発明において、図１に示す第一のネジ部材２及び第二のネジ部材４に代えて、図１２に示す第一のネジ部材５２及び第二のネジ部材５３を用いてもよい。
図１２中、壁面取付用連結具５１は、第一のネジ部材５２と、図１に示すものと同様の固定用部材３と、第二のネジ部材５３とから構成されている。
第一のネジ部材５２は、図１に示す第一のネジ部材２の頭部５及び回転阻止部６と同様に形成された頭部５４及び回転阻止部５５と、図１に示す第一のネジ部材２のネジ部７と同様のものを長さだけ短くして形成させたネジ部５６と、ネジ部５６よりも小さな径を有する円柱体としてネジ部５６の端部から軸線方向に突設した杆体５７と、杆体５７の端部に形成させた、杆体５７よりも大きな径を有しかつネジ部５６よりも小さな径を有する円盤状の頭部５８とが、一体的に形成されてなるものである。
一方、第二のネジ部材５３は、第一のネジ部材５２のネジ部５６と螺合するためのネジ部５９を有するナットである。
この場合、第一のネジ部材５２を固定用部材３に嵌合すると、第一のネジ部材５２のネジ部５６、杆体５７及び頭部５８は、固定用部材３から突出した突起部分を形成する。この状態で、第二のネジ部材５３のネジ部５９を第一のネジ部材５２のネジ部５６に螺合して、第二のネジ部材５３を固定用部材３に当接するまで所定の方向に回転させると、最終的に、第一のネジ部材５２及び第二のネジ部材５３が固定用部材３に締着される。第一のネジ部材の頭部５８は、図６に示す棚３０の物品取付用連結具３３の孔３５に係止される部分である。
【００２０】
本発明においては、図１のように第一のネジ部材２として雄ネジ部材を用い、かつ第二のネジ部材４として雌ネジ部材を用いるのとは逆に、第一のネジ部材として雌ネジ部材を用い、かつ第二のネジ部材として雄ネジ部材を用いてもよい。
この場合、第一のネジ部材の例としては、図１に示す第一のネジ部材２と同様な頭部５及び回転阻止部６を有し、かつネジ部７に代えて、ネジ部７と同じ外径（すなわち、固定用部材３の長孔１０に挿通し得る外径）の円柱体に雌ネジ部を穿設してなる杆体を有するものが挙げられる。
また、このように構成した第一のネジ部材と組み合わせて用いられる第二のネジ部材の例として、図１に示す第二のネジ部材４と同様な円盤状の頭部１５を有し、かつ、ネジ部１６を有する杆体１４に代えて、第一のネジ部材の雌ネジ部と螺合するための雄ネジ部を、頭部５の背面の中心に突設し、かつ頭部１５の背面の周縁に、固定用部材３に当接するための所定の長さを有する円筒状の板部を突設してなるものが挙げられる。
この場合、第二のネジ部材は、第一のネジ部材と螺合した後、頭部１５を所定の方向に回転すると固定用部材３に向かって移動し、最終的に、固定用部材３に当接して第一のネジ部材と共に固定用部材３に締着される。
【００２１】
本発明の壁面取付用連結具は、壁面に対して鉛直方向に位置を調整し得るものであるが、次の方法（ａ）、（ｂ）等のいずれかを採用すれば、さらに利便性が高まる。
（ａ）  図１に示す長孔１０の幅または図７に示す第二の開口部３５ｂの幅を若干大きくして、第二のネジ部材４の頭部１５が左右方向に動き得る自由度を高めることによって、棚３０に装着されている一対の物品取付用連結具３３間の距離と、壁面に固定されている一対の壁面取付用連結具１間の距離とが相違する場合であっても、その距離の差を吸収することができるようにする方法。
（ｂ）  図１に示す固着具挿通孔１２，１３を用いずに、固定用部材３の上側の縁辺及び下側の縁辺を、断面が略Ｕ字形の一対のレール部材を用いて、左右方向に摺動可能に支持し、かつ、この一対のレール部材の両端を固着具を用いて壁面に固定することによって、壁面取付用連結具１を左右方向に移動し得るようにする方法。
【図面の簡単な説明】
【００２２】
【図１】本発明の壁面取付用連結具の一例の構成部品を分解して示す斜視図である。
【図２】図１に示す壁面取付用連結具の構成部品を組み合わせた状態を示す斜視図である。
【図３】図２中のＡ−Ａ線で鉛直方向に切断した状態を示す断面図である。
【図４】図２中のＢ−Ｂ線で水平方向に切断した状態を示す断面図である。
【図５】第一のネジ部材及び固定用部材の他の例を示す斜視図である。
【図６】本発明の壁面取付用連結具と組み合わせて用いられる棚の一例を示す斜視図である。
【図７】図６に示す棚に装着されている物品取付用連結具に、図１に示す壁面取付用連結具を係止する手順を説明するための図である。
【図８】図７中のＣ−Ｃ線で鉛直に切断した状態を示す断面図である。
【図９】壁面取付用連結具を介して壁面に棚を取り付ける手順を説明するための図である。
【図１０】本発明の適用対象物品である棚の種々の例を示す図である。
【図１１】本発明で用いられる第二のネジ部材、物品取付用連結具及び物品の他の例を示す斜視図である。
【図１２】本発明で用いられる第一のネジ部材及び第二のネジ部材の他の例を示す斜視図である。
【符号の説明】
【００２３】
１，５１    壁面取付用連結具
２，２０，５２    第一のネジ部材
３，２３    固定用部材
４，４０，５３    第二のネジ部材
５，２１，５４    頭部
６，５５    回転阻止部
７，２２，５６    ネジ部（雄ネジ部）
８，２６    平板部
９，２７  凹部形成用板部
１０，２４    長孔
１１，２５    凹部
１２，１３    固着具挿通孔
１４，４１，５７    杆体
１５，５８    頭部
１６，５９    ネジ部（雌ネジ部）
１７    溝部
３０，３８，３９    棚（物品）
３１    側壁部
３２    水平壁部
３３，４３    物品取付用連結具
３４    平板部材（支持部）
３４ａ    表層板
３４ｂ    中間層板
３４ｃ    基層板
３５    孔（取付部）
３５ａ    第一の開口部
３５ｂ    第二の開口部
３６    溝部
３７    固着具
４２    ネジ部
４４    切欠部（取付部）
４５    棒状体（物品）
５０    壁面
【図１】
2005334020.tif 000003
【図２】
2005334020.tif 000004
【図３】
2005334020.tif 000005
【図４】
2005334020.tif 000006
【図５】
2005334020.tif 000007
【図６】
2005334020.tif 000008
【図７】
2005334020.tif 000009
【図８】
2005334020.tif 000010
【図９】
2005334020.tif 000011
【図１０】
2005334020.tif 000012
【図１１】
2005334020.tif 000013
【図１２】
2005334020.tif 000014